(57)【要約】【課題】横方向への撓みが少なく、強度の大なる自立型の水廻りユニットを提供する。【解決手段】柱３と連結部材４からなる額縁状のフレーム２で開口Ｋが形成された水廻りユニットにおいて、額縁状フレーム２を構成する柱３と連結部材４をＬ型に溶接等で一体化させて構成する。【選択図】図１
2009121021.tif 000002
【特許請求の範囲】
【請求項１】
柱と連結部材からなる額縁状のフレームで開口が形成された水廻りユニットにおいて、前記フレームを構成する前記柱と前記連結部材を一体化したことを特徴とする水廻りユニット。
【請求項２】
前記フレームを構成する柱と、該柱の外側に設けられる外壁との間にガラス枠を納め、該ガラス枠を前記柱に固定するとともに前記外壁でガラス枠を隠したことを特徴とする請求項１に記載の水廻りユニット。
【請求項３】
前記フレームを構成する柱に沿ってドア枠と別体のフレームを立設し、該ドア枠と別体のフレームに跨るようにドア用のヒンジを取り付けたことを特徴とする請求項１に記載の水廻りユニット。
【発明の詳細な説明】
【技術分野】
【０００１】
本発明は、自立型のシャワールームやユニットバスなどの水廻りユニットに関するものである。
【背景技術】
【０００２】
従来、特許文献１に開示されているように、方形筒状に形成されて開口を有する木造ユニットを連結して構成される木造移動建築物が存在する。
【特許文献１】特開２００４−１３７８５９号公報
【発明の開示】
【発明が解決しようとする課題】
【０００３】
上記特許文献１に開示されている木造ユニットでは、構造材の外周に壁を貼り付けて方形筒状に形成した構造であり、強度的に弱いという問題点がある。
【課題を解決するための手段】
【０００４】
本発明は、強度的に優れた自立型の水廻りユニットを提供することを目的の１つとし、この目的の少なくとも一部を達成するために以下の手段を採った。
本発明は、柱と連結部材からなる額縁状のフレームで開口が形成された水廻りユニットにおいて、前記フレームを構成する前記柱と前記連結部材を一体化したことである。
【発明の効果】
【０００５】
額縁状のフレームを構成する柱と連結部材を溶接等で一体化したことにより、横方向の撓みに対し額縁状のフレームの強度が大となり、撓み等の生じない強固な水廻りユニットとして部屋の任意の位置等に自立状に設置できるものとなる。
【０００６】
また、前記フレームを構成する柱と、該柱の外側に設けられる外壁との間にガラス枠を納め、該ガラス枠を前記柱に固定するとともに、前記外壁でガラス枠を隠した構成とすることもできる。
こうすれば、額縁状のフレームを構成する柱にガラス枠を固定して、ガラスを開口に設置することができ、また、柱とガラス枠の結合部位を外壁で隠すことができ、設置状態の意匠性が向上し、また強度も向上するものとなる。
【０００７】
また、額縁状のフレームを用いた水廻りユニットにおいて、前記フレームを構成する柱に沿ってドア枠と別体のフレームを立設し、該ドア枠と別体のフレームに跨るようにドア用のヒンジを取り付けた構造とすることもできる。
こうすれば、ドア枠と別体のフレーム間に跨るようにしてドア用のヒンジを取り付け固定することができ、従来では、ドア枠の厚みを大きくしないとヒンジを取り付けることができなかったが、ドア枠の厚みを小さくしても良好にヒンジを取り付けでき、しかも意匠性を向上させて綺麗に収めることができるものとなる。
【発明を実施するための最良の形態】
【０００８】
次に、本発明を実施するための最良の形態を実施例を用いて説明する。
図１は、シャワールームやユニットバスとなる水廻りユニットの構成部材の分解斜視構成図である。
この水廻りユニット１は、建物内のどこにでも設置できる自立型のものであり、四角形状に枠組み形成された額縁状フレーム２，２が一対用いられており、例えば、この額縁状フレーム２は、図２に分解斜視図で示すように構成されている。
【０００９】
額縁状フレーム２は、図２では、左右に一対の柱３，３が立設されており、この各柱３，３間を連結する連結部材４，４が上下に平行状に設けられたものであり、柱３に対し上下にそれぞれ直交状に設けられる連結部材４，４が、柱３の上端および下端にそれぞれ溶接で一体化されて、柱３と連結部材４がＬ字状に一体化されている。
【００１０】
上下の連結部材４，４は、途中が分割されて、分割部材４ａで繋げられるものであり、この分割部材４ａは伸縮可能な部材で構成しても良く、また、複数種類の長さのものを用意しておき、構築する水廻りユニット１の左右寸法を適宜この分割部材４ａで変更できるように構成されている。
この分割部材４ａをそれぞれ上下の連結部材４，４間に連結して、一対の柱３，３と上下の連結部材４，４，４ａで四角形状の額縁状フレーム２が形成され、この額縁状フレーム２の内周に四角形状の開口Ｋが形成される。
この額縁状フレーム２，２を一対前後方向に間隔をおいて配置させ、前後の一対の額縁状フレーム２，２を複数の連結アングル５，５，５，５で連結して、前後に開口Ｋを有するフレームを組み立てることができる。
【００１１】
なお、図３は、額縁状フレーム２の変更例を示すものであり、図３の額縁状フレーム２においては、上下の連結部材４，４間が分割部材４ａで繋げられるとともに、柱３も途中が分割部３ａとなっており、この分割部３ａで上下方向の寸法を調整できるように、複数の長さの分割部３ａが用意されるか、或いはこの分割部３ａ自体が伸縮できて長さを調整できるように構成されている。
このように柱３にも分割部３ａを設けることで、水廻りユニットの上下高さ寸法をも適宜変更させることができるものとなる。
【００１２】
このように前後一対の額縁状フレーム２，２間を複数の連結アングル５，５，５で連結して、任意の寸法のフレームを形成させ、更に天井部分には補強バー６などを取り付けて補強することができ、その後、図１に示すように、組み立てたフレームの内周側には複数枚の内壁８，８，８を設置して、水廻りユニット内の底面および側面および天井面を形成させることができ、更にフレームの外側に外壁７，７，７を取り付けて、左右外周面および天井面を形成させて、内壁８と外壁７で二重天井構造および二重壁構造の水廻りユニット１が構築される。
また、前後の開口Ｋ側周囲に、細長い外壁７ａ，７ｂをそれぞれ額縁状フレーム２の柱３，３に取り付けて化粧処理することができ、また、額縁状フレームの上下の連結部材４，４にもそれぞれ細長状の外壁７，７を取り付けて、開口Ｋの周囲を化粧処理することができる。
【００１３】
このように、内壁８と外壁７で二重天井構造および二重壁構造とすることで、内壁８と外壁７の間に生まれるスペースを、配管スペースや収納スペースなどとして使うことができるものとなる。なお、外壁７を外すことで配管スペースや収納スペースなどは簡単に点検することができる。
また、二重天井構造内に、ダクトや照明，換気扇などの機器を納めることができ、自立したユニットであっても天井の機器が外側から見えるのを防ぎ、見た目が綺麗な収まりとなる。
また、二重天井構造および二重壁構造内に、防音材・断熱材を収めることで、防音・断熱性を向上させことが可能となる。
また、外壁７，７，７の種類を自由に選ぶことができるものとなり、さらには、外壁７を天井や壁の躯体に固定することも可能となる。また、外壁７を取り除くフレームのみで建築躯体に組み込むことが可能となる。
このように二重壁構造を形成することで、家に合わせたコーディネートやプランに合わせた提案が可能となる。
【００１４】
本例の水廻りユニット１においては、額縁状のフレーム２は柱３と連結部材４が溶接等で一体化されているため、強度が大なものとなり、特に横方向の撓みを強固に防ぐことができるものとなり、建物の任意の場所に強固に額縁状フレーム２，２を自立させて水廻りユニット１を構築することができるものである。
しかも、連結部材４間を分割部材４ａで連結した構造とすることで、左右方向の寸法を変更させて水廻りユニット１の大きさを変更できるものであり、また、柱に分割部３ａを用いれば、上下高さ寸法も調節して、任意の大きさの水廻りユニット１を構築できるものとなる。
【００１５】
次に、図４の要部拡大斜視図で、また、図５に図４の平面構成図を示すように、水廻りユニット１の前面側の開口Ｋ内の左側半分にはガラスが配設されるものであり、この開口Ｋの半分を蓋するガラス１０の外周のガラス枠９の設置構造を示す。
図４および図５に示すように、水廻りユニット１の前面左側の外壁７ａは、前側の額縁状フレーム２の柱３の前面に取り付けられるものであるが、この額縁状フレーム２の柱３の前面と、その前面に取り付けられる外壁７ａ間に、ガラス枠９の固定片９ａを隠蔽状に固定するのである。
【００１６】
即ち、ガラス１０の外周のガラス枠９は、固定片９ａと平面断面コの字状の枠片９ｂが一体化されており、固定片９ａを柱３の前面に重ね合わせた状態で、ビス或いはネジにより柱３の前面にこの固定片９ａを固定することができ、さらに、このガラス枠９の固定片９ａの前面に外壁７ａを取り付けることで、ガラス枠９の固定片９ａを前側から隠すことができ、額縁状フレーム２を構成する柱３とガラス枠９の固定片９ａとの連結部を完全に外壁７ａで隠して意匠性を高めることができる。
【００１７】
また、このガラス枠９の内側には、柱３の側面に角パイプ状のバックアップ材１１を立設させて、柱３にバックアップ材１１を固定しておき、このバックアップ材１１の側面に略Ｌ字状の横フレーム１２を固定して、この横フレーム１２の内端に形成されている引っ掛け片１２ａに対し内壁８の先端を引っ掛けて、この横フレーム１２に内壁８を取り付けることができるものである。
なお、内壁８は鋼板パネルで構成されており、鋼板８ａの裏側に石膏ボード８ｂを貼り付けたものである。
【００１８】
このように額縁状フレーム２を構成する柱３の前面にガラス枠９を固定するとともに、側面にパックアップ材１１を固定して横フレーム１２を取り付け、良好に内壁８を取り付け施工することができ、また、ガラス枠９の固定片９ａの前面には、外壁７ａを取り付けて化粧処理し、この外壁７ａとガラス枠９の枠片９ｂを面一状にして、意匠性を高めてガラス１０を開口Ｋに取り付けることができるものである。
【００１９】
次に、図６の要部拡大斜視図で、また図７の平面図で示すものは、開閉扉となるドアガラスの取付構造を示すものである。
即ち、前面側の額縁状フレーム２の図１における図示右側の柱３の前面には外壁７ｂが取り付けられるが、この外壁７ｂ側の開口Ｋには、ヒンジ１４を介して開閉可能にドアガラス１５が取り付けられるものである。
額縁状フレーム２を構成する右側の柱３の前面には、ドア枠１３の固定片１３ａがビス等で固定されるものであり、また、柱３の側面には、柱３に沿って立設された角パイプ状のバックアップ材１１が固定されるものであり、このバックアップ材１１には、Ｌ字状の横フレーム１２が固定され、この横フレーム１２の引っ掛け片１２ａに、内壁８を構成する鋼板８ａの端縁が引っ掛けられて、内壁８が取り付けられるものである。
【００２０】
前記ドア枠１３は、固定片１３ａと角パイプ状の角柱部１３ｂが一体化されたものであり、この角柱部１３ｂの内側に前記横フレーム１２が配置されるが、さらにその内側に角パイプ状のヒンジ取付用フレーム１６が立設されて、このヒンジ取付用フレーム１６は、横フレーム１２とともにバックアップ材１１に固定されるものである。
このヒンジ取付用フレーム１６とドア枠１３の角柱部１３ｂ側面は、ほぼ面一状に内壁８と同一面内に配置されており、このドア枠１３の角柱部１３ｂとヒンジ取付用フレーム１６間に跨ってヒンジ１４のヒンジ固定片１４ａがビス或いはネジで固定されるものである。
【００２１】
ヒンジ１４は、ヒンジ固定片１４ａの前端側に、平行状の２枚のヒンジ挟持片１４ｂが回動可能に連結されており、この２枚のヒンジ挟持片１４ｂ間にドアガラス１５が嵌め込まれて、ビス等でドアガラス１５がヒンジ挟持片１４ｂに固定されるものである。
このように、額縁状フレーム２を構成する柱３に沿ってドア枠１３とヒンジ取付用フレーム１６を立設させ、ドア枠１３の角柱部１３ｂとヒンジ取付用フレーム１６間に跨って横方向にヒンジのヒンジ固定片１４ａを固定して、ヒンジ１４を強固に取り付けることができる。
【００２２】
なお、従来では、ドア枠１３の角柱部１３ｂの厚みを相当大きなものとしないとヒンジ１４のヒンジ固定片１４ａを取り付けることはできなかったが、別体のヒンジ取付用フレーム１６を用いることで、ドア枠１３の角柱部１３ｂの厚みを小さくしても強固にヒンジ１４のヒンジ固定片１４ａの取り付けが可能となる。また、ドア枠１３の厚みを小さくすることで周囲のガラス枠や沓ずりの厚みを小さくすることができる。そのため、ドア枠１３とヒンジ１４さらにガラス枠，沓ずりを綺麗に収めた状態で施工することができるものとなる。
【図面の簡単な説明】
【００２３】
【図１】水廻りユニットの構成部材の分解斜視構成図である。
【図２】一対の額縁状フレームの分解斜視構成図である。
【図３】額縁状フレームの変更例を示す分解斜視構成図である。
【図４】額縁状フレームの左側の柱にガラスを取り付ける構造の要部拡大斜視構成図である。
【図５】図４の平面拡大構成図である。
【図６】額縁状フレームの右側の柱の内側にドアガラスを開閉可能に取り付ける構造の要部拡大斜視構成図である。
【図７】図６の平面拡大構成図である。
【符号の説明】
【００２４】
１  水廻りユニット
２  額縁状フレーム
３  柱
３ａ  分割部
４  連結部材
４ａ  分割部材
５  連結アングル
７，７ａ，７ｂ  外壁
８  内壁
８ａ  鋼板
８ｂ  石膏ボード
９  ガラス枠
９ａ  固定片
９ｂ  枠片
１０  ガラス
１１  バックアップ材
１２  横フレーム
１２ａ  引っ掛け片
１３  ドア枠
１３ａ  固定片
１３ｂ  角柱部
１４  ヒンジ
１４ａ  ヒンジ固定片
１４ｂ  ヒンジ挟持片
１５  ドアガラス
１６  ヒンジ取付用フレーム
【図１】
2009121021.tif 000003
【図２】
2009121021.tif 000004
【図３】
2009121021.tif 000005
【図４】
2009121021.tif 000006
【図５】
2009121021.tif 000007
【図６】
2009121021.tif 000008
【図７】
2009121021.tif 000009